(57)【要約】      （修正有）【課題】入浴時に浴槽内で座って足裏マッサージをすることができ、入浴と同時にしかも足裏への刺激力を調整しながらマッサージをすることができる足裏マッサージ器を提供する。【解決手段】浴槽面又は壁面への取付部２５を有する板状部２１の表面側に合着部が形成された取付板部２０と、弾性部材からなり背面側に前記取付板部２０の合着部に対して着脱自在な被着部が形成された弾性板部３０と、前記弾性板部３０の表面側に形成された左右２つのゴルフボール大の球状マッサージ部４０とからなり、前記球状マッサージ部４０が前記弾性板部３０の座板部を介して背面側から軸着され、前記取付部２５が吸盤部２６を有する吊下げ部２７よりなる。【選択図】図１
0003179197.tif 000002
【実用新案登録請求の範囲】
【請求項１】
浴槽面又は壁面への取付部を有する板状部の表面側に合着部が形成された取付板部と、
弾性部材からなり背面側に前記取付板部の合着部に対して着脱自在な被着部が形成された弾性板部と、
前記弾性板部の表面側に形成された左右２つのゴルフボール大の球状マッサージ部
とからなることを特徴とする足裏マッサージ器。
【請求項２】
前記球状マッサージ部が前記弾性板部の座板部を介して背面側から軸着されている請求項１に記載の足裏マッサージ器。
【請求項３】
前記取付部が吸盤部を有する吊下げ部よりなる請求項１又は２に記載の足裏マッサージ器。
【請求項４】
前記合着部と被着部が面ファスナー部材よりなる請求項１ないし３のいずれか１項に記載の足裏マッサージ器。
【請求項５】
前記取付板部及び弾性板部がいずれも合成樹脂発泡体よりなる請求項１ないし４のいずれか１項に記載の足裏マッサージ器。
【考案の詳細な説明】
【技術分野】
【０００１】
この考案は足裏マッサージ器に関し、特には浴槽内での使用が可能な足裏マッサージ器に関する。
【背景技術】
【０００２】
足裏を刺激するマッサージは足裏の筋肉を刺激して通常では圧力のかからない箇所を押圧することにより、足裏の血流を改善し、体全体の血流を良くするなどの効果があるといわれている。例えば、従来の足裏マッサージ器としては、青竹踏みのように床置きタイプで、マッサージを行う人物が自重により足裏のツボや土踏まず等を刺激するものがある。
【０００３】
足裏マッサージ器としては、青竹のほかに回転刺激体（ゴルフボール）を使用したマッサージ器が提案されている（特許文献１）。このマッサージ器は、足裏に回転刺激体を押し当てて、自重により負荷をかけつつ回転刺激体を回転させることにより足裏のツボを刺激するものである。
【０００４】
従来の足裏マッサージ器では、上のように、床置きタイプが一般的で、足裏に当接する箇所に凹凸を形成する等、足裏のツボを刺激しやすくするような構成が提案されている。しかしながら、体重移動により足裏への押圧力や押圧箇所の調節を行うため、体重をかけすぎたことにより足裏への刺激が強くなり、痛みを感じるなどの問題があった。
【先行技術文献】
【特許文献】
【０００５】
【特許文献１】登録実用新案第３０９９６９９号公報
【考案の概要】
【考案が解決しようとする課題】
【０００６】
本考案は前記の点に鑑みなされたものであり、入浴時に浴槽内で座って足裏マッサージをすることができるものを提案するものであって、入浴と同時にしかも足裏への刺激力を調整しながらマッサージをすることができる新しいタイプの足裏マッサージ器を提供するものである。
【課題を解決するための手段】
【０００７】
すなわち、請求項１の考案は、浴槽面又は壁面への取付部を有する板状部の表面側に合着部が形成された取付板部と、弾性部材からなり背面側に前記取付板部の合着部に対して着脱自在な被着部が形成された弾性板部と、前記弾性板部の表面側に形成された左右２つのゴルフボール大の球状マッサージ部とからなることを特徴とする足裏マッサージ器に係る。
【０００８】
請求項２の考案は、前記球状マッサージ部が前記弾性板部の座板部を介して背面側から軸着されている請求項１に記載の足裏マッサージ器に係る。
【０００９】
請求項３の考案は、前記取付部が吸盤部を有する吊下げ部よりなる請求項１又は２に記載の足裏マッサージ器に係る。
【００１０】
請求項４の考案は、前記合着部と被着部が面ファスナー部材よりなる請求項１ないし３のいずれか１項に記載の足裏マッサージ器に係る。
【００１１】
請求項５の考案は、前記取付板部及び弾性板部がいずれも合成樹脂発泡体よりなる請求項１ないし４のいずれか１項に記載の足裏マッサージ器に係る。
【考案の効果】
【００１２】
請求項１の考案に係る足裏マッサージ器は、浴槽面又は壁面への取付部を有する板状部の表面側に合着部が形成された取付板部と、弾性部材からなり背面側に前記取付板部の合着部に対して着脱自在な被着部が形成された弾性板部と、前記弾性板部の表面側に形成された左右２つのゴルフボール大の球状マッサージ部とからなるものであるから、浴槽面や壁面へマッサージ器を取り付け、当該マッサージ器の球体マッサージ部に足裏を押し付けてマッサージを行うことができる。従って、従来の床置きタイプと異なって、壁面等へ取り付けて、利用者は腰を下ろして足を上げて足裏をマッサージすることができるので、足裏への押力を調整することができ痛みを感じずに足裏マッサージをすることができる。特に、浴槽内でこのマッサージ器によるマッサージを行えば、入浴効果とあいまってより高い足裏マッサージ効果が期待できる。
【００１３】
請求項２の考案は、請求項１において、前記球状マッサージ部が前記弾性板部の座板部を介して背面側から軸着されているため、球状マッサージ部が軸着箇所を中心に傾動自在となり、足裏面の刺激をより効率よく効果的に行うことができる。
【００１４】
請求項３の考案は、請求項１又は２において、前記取付部が吸盤部を有する吊下げ部よりなるため、例えばタイル面や浴槽面のような取付が困難な平滑面に対しても吸盤部による吸着取付が可能となる。
【００１５】
請求項４の考案は、請求項１ないし３において、前記合着部と被着部が面ファスナー部材よりなるため、取付が容易である。
【００１６】
請求項５の考案は、請求項１ないし４において、前記取付板部及び弾性板部がいずれも合成樹脂発泡体よりなるため、マッサージをソフトにかつ安全に行うことができ、しかも浴槽や壁面等の損傷を防止することができる。
【図面の簡単な説明】
【００１７】
【図１】この考案の一実施例に係る足裏マッサージ器の斜視図である。
【図２】図１の球状マッサージ部を含む要部の断面図である。
【図３】この考案の足裏マッサージ器の使用例を表す概略斜視図である。
【考案を実施するための形態】
【００１８】
図１に図示しかつ請求項１の考案として規定したように、この考案に係る足裏マッサージ器１０は、取付板部２０と弾性板部３０と球状マッサージ部４０とからなる。
【００１９】
取付板部２０は、図２のように、表面側に合着部２２が形成された板状部２１からなり、浴槽面又は壁面への取付部２５を有する。取付部２５は、図３に示すように、浴槽面Ｔ又は壁面Ｗに取り付けられるものであるから、吸盤部２６を有する吊下げ部２７よりなる構成が好ましい。壁面にフック等の掛支部（図示せず）を有する場合は、吊下げ部２７を掛止することにより、簡単に足裏マッサージ器１０を取り付けることができる。
【００２０】
板状部２１の表面側に取り付けられた合着部２２は、弾性板部３０の背面に形成される被着部３２と着脱自在に取り付けられる。着脱自在に構成されることにより、壁面に取り付けられる本考案の足裏マッサージ器１０を床面等の平面に載置して使用することができる。また、合着部２２と被着部３２を面ファスナー部材Ｍで構成することにより、簡単な構成でワンタッチの装着が可能となり好ましい。
【００２１】
弾性板部３０は弾性部材からなり、足裏マッサージを行う際のクッション体としての役割を有する。足裏のマッサージを行うときに、足裏を球状マッサージ部４０に押し当てることから、弾性板部３０が変形することにより、足裏への刺激を効率良く効果的に行うことができる。また、取付板部２０及び弾性板部３０を合成樹脂発砲体にすることにより、弾性板部３０のみでなく取付板部２０をも変形可能となることから、球状マッサージ部４０の足裏への刺激をさらに効率良く効果的にできる。
【００２２】
球状マッサージ部４０は弾性板部の表面側に左右２つが形成されている。球状マッサージ部４０は、ゴルフボール大の球体からなる。球状マッサージ部４０をゴルフボール大とすることにより、足裏のツボに押し当てた際に、ツボの周囲にも軽く押し当てられるため、足裏のツボに急激な刺激を与えることなく適切な圧力によりマッサージをすることができる。また、球状マッサージ部４０を、表面凹凸状のゴルフボール状の球状マッサージ部としてもよい。
【００２３】
球状マッサージ部４０は、図２に示すように、弾性板部３０の座板部３５，３７を介して背面側からねじ３７で軸着されることが好ましい。取付板部３０は弾性部材からなるため、座板部３５，３６を介することにより、ねじ部材により背面側から貫通された穴の破れを防止することができる。また、球状マッサージ部４０はねじ部材により軸着されることから、ねじ部材を軸として自在に傾動可能となり、様々な角度から足裏に圧力をかけることができる。
【００２４】
本考案の足裏マッサージ器１０は、図３に示すように浴槽Ｔ内で使用することができる。吸盤部２６を浴槽面Ｔ又は壁面Ｗに吸着固定させることにより、足裏マッサージ器１０を固定する。利用者は浴槽内で背中を対向する浴槽面にもたせかけ、足裏を球状マッサージ部４０にあてがって押し付けることにより、足裏に刺激を与えてマッサージを行う。
【符号の説明】
【００２５】
１０    足裏マッサージ器
２０    取付板部
２１    板状部
２２    合着部
２５    取付部
２６    吸盤部
２７    吊下げ部
３０    弾性板部
３２    被着部
３５，３７    座板部
４０    球状マッサージ部
Ｍ    面ファスナー部材
Ｔ    浴槽面
Ｗ    壁面
【図１】
0003179197.tif 000003
【図２】
0003179197.tif 000004
【図３】
0003179197.tif 000005